Podtech/llm-jp-corpus-v4-ja_patent huggingface dataset:
(57)【要約】      （修正有）【課題】スズメバチ対策において、新規の巣作りを未然に防ぐ方法と、既に作られた蜂の巣に群がるスズメバチ駆除および類似シロアリ対策の方法を提供する。【解決手段】スズメバチ用防虫剤１をネット状にし、さらにカットしやすいように網糸が平坦状の場合には折れ目・ミシン目等を入れ、線状の場合には節目等を入れた。【選択図】図１
2014100133.tif 000002
【特許請求の範囲】
【請求項１】
スズメバチ用防虫剤をネット状にした方法。
【請求項２】
スズメバチ用防虫剤をネット状にしたものをカットしやすいように折れ目・ミシン目を入れた方法。
【請求項３】
スズメバチ用防虫剤をネット状にしたものをカットしやすいように節目を入れた方法。
【請求項４】
スズメバチの巣作りを予想できる細葉等の葉の上や地面の上、カットし丸め込むことで密集した枝の中や土の中に設置し、新規巣作りの未然防止、既存蜂の巣のスズメバチ駆除、雨水に解けて密集した枝の中や土の中に浸透させ浸透部分での防虫効果、雨水に溶け消滅しネットの残存障害をなくすことにより、簡単なスズメバチ用防虫剤の設置と防虫効果、設置効果後のネット消滅により残存ネットの処分の手間の省力化として利用するネット状スズメバチ用防虫剤。
【請求項５】
前記請求項１．２．３．４のネットをシロアリ対策に用いる方法。
【発明の詳細な説明】
【技術分野】
【０００１】  スズメバチの退治と駆除および蜂の巣作り予防、および類似シロアリ対策に関する利用分野である。
【背景技術】
【０００２】  従来のスズメバチ対策は蜂の巣に群がるスズメバチに蜂用の殺虫剤噴霧をおこないスズメバチを撲滅するものだった。【０００３】  この方法では新規の巣作りに対しての効果はなく、新規の巣作りを未然に防ぐ方法はなかった。
【発明が解決しようとする課題】
【０００４】  この発明はスズメバチ対策において、新規の巣作りを未然に防ぐ方法と、既に作られた蜂の巣に群がるスズメバチ駆除である。
【課題を解決するための手段】
【０００５】  この発明では、スズメバチ用防虫剤をネット状にした。
【発明の効果】
【０００６】  スズメバチ用防虫剤をネット状にする方法により、スズメバチの巣作りを予想できる細葉等の葉の上や地面の上および枝巻きとして、カットし丸め込むことで密集した枝の中や土の中に設置でき防虫効果をあげることができた。
【０００７】  さらに雨水に解けて密集した枝の中や土の中に浸透し、浸透部分での防虫効果を上げることができた。
【０００８】  さらに雨水に溶けることにより前記ネット状防虫剤を消滅させることができネットの残存障害をなくすことができた。
【０００９】  またスズメバチ以外のシロアリ対策として土間敷き込み、柱巻きをおこない効果ができるようになった。
【図面の簡単な説明】
【００１０】
【図１】  スズメバチ用防虫剤をネット状にしたものの一例。
【図２】  スズメバチ用防虫剤をネット状にしたものをカットしやすいように折れ目・ミシン目等を入れた一例。
【図３】  スズメバチ用防虫剤をネット状にしたものをカットしやすいように節目等を入れた一例。
【発明を実施するための形態】
スズメバチ用防虫剤をネット状にし、さらにカットしやすいように網糸が平坦状の場合には折れ目・ミシン目等を入れ、線状の場合には節目等を入れた。
【産業上の利用可能性】
【００１１】  スズメバチ用防虫剤をネット状にする方法により、スズメバチの巣作りを予想できる細葉等の葉の上や地面の上、カットし丸め込むことで密集した枝の中や土の中に設置でき、新規の巣作りを未然に防ぐ方法と、既に作られた蜂の巣に群がるスズメバチ駆除として利用ができ、さらに雨水に解けて密集した枝の中や土の中に浸透し、浸透部分での防虫効果を上げることができ、さらに雨水に溶けることにより前記ネット状防虫剤を消滅させネットの残存障害をなくすことができるので、簡単なスズメバチ用防虫剤の設置と防虫効果、設置効果後のネット消滅により残存ネットの処分の手間の省力化として利用可能性がでた。【００１２】  またスズメバチ以外のシロアリ対策としても同様の効果があり利用可能性がでた。
【符号の説明】
【００１３】符号は各図共通で、
１＝ネット状スズメバチ用防虫剤
２＝カット用折れ目・ミシン目
３＝カット用節目
【図１】
2014100133.tif 000003
【図２】
2014100133.tif 000004
【図３】
2014100133.tif 000005
(57)【要約】【課題】精密に形状を模倣し、かつ接地面との摩擦力を確保できる模型用用移動体のキャタビラを提供すること。【解決手段】接地面に幅方向に延びる爪１を有する複数のコマ片２を回動可能にピン７で接合してなる模型用移動体のキャタピラにおいて、爪１に相当する領域に裏面から接地面側に貫通する少なくとも１つの高分子注入用の貫通孔１２を形成し、貫通孔１２から軟質高分子を注入して接地面側に爪１を射出成形する。【選択図】図２
2014100167.tif 000002
【特許請求の範囲】
【請求項１】
接地面に幅方向に延びる爪を有する複数のコマ片を回動可能にピンで接合してなる模型用移動体のキャタピラにおいて、
前記爪に相当する領域に裏面から接地面側に貫通する少なくとも１つの高分子注入用の貫通孔を形成し、前記貫通孔から軟質高分子を注入して接地面側に爪を射出成形してなる模型用移動体のキャタピラ。
【請求項２】
前記貫通孔は、裏面側が拡開するテーパ状に形成されている請求項１に記載の模型用移動体のキャタピラ。
【発明の詳細な説明】
【技術分野】
【０００１】
本発明は、模型用移動体のキャタピラの構造に関する。
【背景技術】
【０００２】
模型の移動体には、特許文献１に見られるようにエンドレスベルト駆動式、いわゆるキャタピラを用いたものがある。これは複数の同一形状のコマ片を相互にピンにより回動可能に無端状に接続して構成されている。接地面との摩擦を確保するためには各コマ片全体をゴム材で形成することも考えられるが、外形を実物により一層近似させる場合には硬質高分子の射出成形で形成する必要がある。
【先行技術文献】
【特許文献】
【０００３】
【特許文献１】特開２００２−２３９２６０号公報
【発明の概要】
【発明が解決しようとする課題】
【０００４】
本発明はこのような問題に鑑みてなされたものであって、その目的とするところは、接地面との摩擦を確保しつつより実物に近似した硬質高分子製のキャタピラを提供することである。
【課題を解決するための手段】
【０００５】
このような課題を達成するために本発明においては、接地面に幅方向に延びる爪を有する複数のコマ片を回動可能にピンで接合してなる模型用移動体のキャタピラにおいて、前記爪に相当する領域に裏面から接地面側に貫通する少なくとも１つの高分子注入用の貫通孔を形成し、前記貫通孔から軟質高分子を注入して接地面側に爪を射出成形した。
【発明の効果】
【０００６】
コマ片の大部分を精密に造形可能な硬質高分子により構成して、接地摩擦が必要な部分だけをゴムにより形成できるため、全体的に実物に近い形状を維持しつつ十分な接地摩擦を確保することが可能となる。
【図面の簡単な説明】
【０００７】
【図１】図（ａ）〜（ｄ）は、それぞれ本発明のキャタピラを構成するコマ片の一実施例を示す、注入孔での断面図、裏面側の上面図、側面図、及び爪の正面図。
【図２】図（ａ）（ｂ）は、それぞれコマ片をキャタピラに組立る工程を示す図。
【発明を実施するための形態】
【０００８】
図１は、本発明のキャタピラを構成する爪１を有するコマ片２の実施例を示すものであって、組み立てられた時に進行方向、すなわちＡＢＳなどの硬質高分子等でできたコマ片が隣接する方向の相対向する面３、４には相互が係合可能な凹部５と凸部６とを有し、また幅方向となる側の両端には隣接するコマ同士を回動可能に接合するピン７を保持する貫通孔８、９が、さらに溝１０、１１も形成されている。
【０００９】
爪１に相当する領域には裏面から接地面に貫通する少なくとも１つの高分子注入用の貫通孔１２が設けられていて、接地面側に爪の形状に相当する金型（図示せず）を押し当てて貫通孔１２からゴム材、もしくは熱可塑性エラストマ等の軟質高分子を注入して爪１が射出成形により一体化されている。
【００１０】
貫通孔１２は、裏面側が拡開するテーパ状の注入口部１２ａが形成されている。爪１は、ゴム材や軟質高分子の粘着力によりコマ片本体に一体に固定され、また注入口部１２ａに注入された部分１２ａ’が抜け止めとして機能する。
なお、図中符号１３は移動体本体の案内溝に係合してキャタピラが幅方向、すなわち進行方向に直行する方向への移動を規制するガイド片を示す。
【００１１】
このように構成されたコマ片２は、図２（ａ）に示したように２個をそれぞれの辺５，６が対向するように隣接させて一方側の辺の凹部５を隣接する他のコマ片の凸部６に嵌め込み側方からピン７を挿入して回動可能に抜けを防止した状態で結合する。このような操作を所定長さとなるまで繰り返し、最後に両端のコマ片２の辺同士を接合すると無端状となり、キャタピラが完成する。
【００１２】
このように構成されたキャタピラは、組み込まれた移動体の駆動機構からの動力によりその長手方向に移動させられると、コマ片２の爪１が接地面との大きな摩擦力により滑ることなく、移動体を確実に移動させる。
【符号の説明】
【００１３】
１  爪    ２  コマ片    ５  凹部    ６  凸部    ７  ピン    ８，９  貫通孔    １０、１１  溝    １２  高分子注入用の貫通孔
【図１】
2014100167.tif 000003
【図２】
2014100167.tif 000004
(57)【要約】【課題】洗濯物の内身を隠すための洗濯物干しを提供する。【解決手段】洗濯物干しに杆を付け布で覆う事により内身が外から見えることがなくなり、隠す事が出来洗濯物干しに付いているピンチを全部使って、洗濯物を干す事が出来る。【選択図】図１
2014100454.tif 000002
【特許請求の範囲】
【請求項１】
外枠とピンチを備えた洗濯物干しであって前記外枠に杆を外側に向かって設けたことを特徴とする洗濯物干し。
【請求項２】
前記杆の先端部に洗濯物を隠すための布を吊るための係止手段を設けたことを特徴とする請求項１に記載した洗濯物干し
【請求項３】
前記杆が外枠から放射状に設けられており前記係止手段に洗濯物の目かくし用の布がピンチを囲うようにして吊下げられることを特徴とする請求項１又は２に記載の洗濯物干し
【発明の詳細な説明】
【技術分野】
【０００１】  本発明は、洗濯物干しの外枠に外向きに杆を設け、その杆の先端に布を１周取り付け洗濯物を干した時に中身が丸見えになるのを防げる物である。
【背景技術】
【０００２】  今までの洗濯物干しは外から洗濯物が丸見えで、下着などを干す事が出来なかった．またタオルを用いてカバーをしても、外側のピンチをカバー布のためにとりわけなければならず、洗濯物を干すピンチが減ってしまうという問題点があった。【０００３】  また、目隠くし用のカバーがついているものでも、洗濯物干し全体を上から布で覆ってしまうものであった。この場合は取りつけが面倒であるという問題点があった。また洗濯物を干すときにカバーが邪魔になるという問題点があった。
【先行技術文献】
【特許文献】
【０００４】
【特許文献１】特開  ２０００−７０５９４号  公報
【特許文献２】特開  ２０００−５１５８１号  公報
【発明の概要】
【発明が解決しようとする課題】
【０００５】  本発明は洗濯物をピンチに干してから１番最後にカバーを取りつけることが出来るような物干しを提供するものである。またカバーも専用の布ではなく、タオルやシーツなどの長布で代用出来るようにした物干しを提供するものである。さらに洗濯物を干すためのピンチも全部残しながらも目かくしのできる物干しを提供する。
【課題を解決するための手段】
【０００６】（１）外枠とピンチとを備えた洗濯物干しであって、前記外枠に杆を外側に向かって設けた事を特徴とする洗濯物干しにより前記課題を解決する。【０００７】（２）前記杆の先端部に洗濯物を隠すための布を吊るための、係止手段を設けたことを特徴とする（１）に記載の洗濯物干しにより前記課題を解決する。【０００８】（３）前記杆が外枠から放射状に設けられており前記係止手段に洗濯物の目隠くし用の布がピンチを囲うようにして吊下げられることを特徴とする（１）又は（２）に記載の洗濯物干しにより、前記課題を解決する。
【発明の効果】
【０００９】  本発明によれば他人に見られる事なく洗濯物が外に干す事ができる。また、洗濯物を干した後にカバーを取り付けることができるので干す際にカバーが邪魔にならないという利点もある。またカバーにタオルやシーツなどの洗濯物を代用できるという利点もある。さらにピンチを全部使って洗濯物を干すことができ、目かくしのためにピンチを使ってしまい洗濯物を干すピンチが減ることもない。
【図面の簡単な説明】
【００１０】
【図１】本発明に係る斜面図である。
【図２】布５に孔６を設けて吊った場合の図である。
【図３】布５にループ７を設けて吊った場合の図である。
【図４】布５をピンチ８を設けて吊った場合の図である。
【発明を実施するための形態】
【００１１】  本発明の洗濯物干しは図１に示されるように外枠１、杆２、ピンチ３、係止手段４、布５、孔６、ループ７、ピンチ８からなる、外枠１には外側に向かって杆２が張り出されている、杆２の先端部には係止手段４が設けられている、この係止手段に布５が吊られる、外枠１はプラスチック素材が好ましい、杆２は外枠と同じプラスチック素材でも良いが外枠よりは強く固い物、例えばアルミスチールが用いられる、ピンチ３はプラスチック素材等、通常の物干しに用いられるものでもよい、係止手段４はピンチでもフックでも良い、フックの場合はアルミスチール等のものが用いられる、布５は家にあるタオル、マット、シーツ、カーテンなどの長布で用いられるし、内側が見えないようにミラーコードがされている布などを用いることができる、孔６はフックが通おる程の小さな孔でよい、ループ７はフックが通おる程の小さな孔で良い。ピンチ８はプラスチック素材等通常の物干しに用いられるものでよい。
【００１２】  杆の係止部がピンチ８の場合布５は洗濯物と共に洗濯しているタオル等でも代用可能である（図４）
杆の係止部がフックの場合は（図２）に示すように長布の一辺に孔６を設けその孔６にフック４をひっかけて長布を吊ることができる。
（図３）のように長布の一辺にヒモなどでループ７を作ったものを縫いつけ、それをフック４に掛けるようにしても良い。
【００１３】  外枠１はＯ型、長方形でも適応できる。布はバスタオルなどでも使用できる、メッシュやうすい布などは風が通りやすいので好ましい。
【符号の説明】１．外枠
２．杆
３．ピンチ
４．係止手段
５．布
６．孔
７．ループ
８．ピンチ
【図１】
2014100454.tif 000003
【図２】
2014100454.tif 000004
【図３】
2014100454.tif 000005
【図４】
2014100454.tif 000006
(57)【要約】【課題】  安全ピンを握った際、支点がずれることを防止し、片手でも容易に装着及び取り外しできる安全ピンを提供する。【解決手段】  台座針金（１）及び針先針金（２）に曲げ（３）を設けることで、安全ピンを握った際、支点のずれがなくなり、片手でも容易に安全ピンの装着又は取り外しができることを特徴とする。【選択図】図１
2014100453.tif 000002
【特許請求の範囲】
【請求項１】
台座針金（１）及び針先針金（２）に曲げ（３）を設ける。
【発明の詳細な説明】
【技術分野】
【０００１】  この発明は、安全ピンを握った際、支点がずれずに片手でも容易に装着及び取り外しできる安全ピンに関するものである。
【背景技術】
【０００２】  従来は台座針金と針先針金がストレートのものであった。
【発明の概要】
【発明が解決しようとする課題】  これには次のような欠点があった。
安全ピンを片手で握った際、台座針金と針先針金がストレートな構造であることにより支点がずれ、装着又は取り外しができない場合がある。
【課題を解決するための手段】  台座針金（１）及び針先針金（２）に曲げ（３）を設けることにより、指で握った際、支点のずれがなくなる。
【発明の効果】  安全ピンを握った際、支点のずれがなくなることにより片手でも容易に安全ピンの装着又は取り外しができる。
【図面の簡単な説明】
【図１】  本発明の分解斜視図である。
【発明を実施するための形態】
以下、本発明の実施の形態について説明する。
台座針金（１）及び針先針金（２）に曲げ（３）を設ける。
本請求は、台座針金（１）及び針先針金（２）に曲げ（３）を設ける
ことで、安全ピンを握った際、支点のずれがなくなり、片手でも容易に安全ピンの装着又は取り外しができる。（図１参照）
【符号の説明】（１）    台座針金
（２）    針先針金
（３）    曲げ
【図１】
2014100453.tif 000003
(57)【要約】【課題】身体障碍者や車椅子を利用する人などが毎日の歯磨きをする際、指が緩んで歯ブラシを下に落としてしまうと自分一人で拾うのは大変だった。また、けがなどで片手だけしか使えない人も歯磨き粉を付けるときなどに落としてしまうことがよくあった。  本発明は、身体障碍者や車椅子を利用する人、けがなどで片手しか使えない人などが歯磨きの際に手から落とさないような落下防止機能を備えた歯ブラシを提供する。【解決手段】現在一般的に使用されているほぼ真っ直ぐな歯ブラシのブラシと反対側の柄の先の裏側に、長さは人差し指から小指までを覆う長さで、幅は柄の一番広いところと同じ程度、厚さは柄を握った人差し指に近づくほど薄くすることにより弾力性を持たせた板状の指カバーを、指の動きが窮屈にならないように設けたことを特徴とする落下防止機能を備えた歯ブラシ。【選択図】図１
2014100451.tif 000002
【特許請求の範囲】
【請求項１】
現在一般的に使用されているほぼ真っ直ぐな歯ブラシのブラシと反対側の柄の先の裏側に、長さは人差し指から小指までを覆う長さで、幅は柄の一番広いところと同じ程度、厚さは柄を握った人差し指に近づくほど薄くすることにより弾力性を持たせた板状の指カバーを、指が窮屈にならないように設けた落下防止機能を備えた歯ブラシ。
【発明の詳細な説明】
【技術分野】
【０００１】  本発明は、身体障碍者や車椅子を利用する人、けがなどで片手しか使えない人のための落下防止機能を備えた歯ブラシに関するものである。
【背景技術】
【０００２】  歯ブラシを握った手が緩んでから下に落とすとか、持ちづらくて注意していても下に落とすなど、身体障碍者や車椅子を利用する人、けがなどで片手しか使えない人は日常の歯磨きの際に不便なことが多かった。
しかし、現在の歯ブラシの柄の形状は磨き易さなどを追求したものはあるが落下防止を目的としたものはあまり知られていない。
【先行技術文献】
【０００３】
【特許文献１】  実用新案公開平０５−０９１４３１
【発明の概要】
【発明が解決しようとする課題】
【０００４】  身体障碍者や車椅子を利用する人が毎日の歯磨きをする際、握った手が緩んで歯ブラシを下に落としてしまうと自分一人で拾うのは大変だった。また、けがなどで片手しか使えない人も歯ブラシに歯磨き粉を付けるなどの操作をする際に落としてしまうことがよくあった。
本発明は以上の問題点を解決するためになされたものである。
【課題を解決るための手段】
【０００５】  現在一般的に使用されているほぼ真っ直ぐな歯ブラシのブラシと反対側の柄の先の裏側に、長さは人差し指から小指までを覆う長さで、幅は柄の一番広いところと同じ程度、厚さは柄を握った人差し指に近づくほど薄くすることにより弾力性を持たせた板状の指カバーを指の動きが窮屈にならないように設ける。
以上の構成よりなる落下防止機能を備えや歯ブラシ。
【発明の効果】
【０００６】  従来身体障碍者や車椅子を利用する人は、歯磨きの際に歯ブラシを握った手が緩んで落としてしまうと自分一人で拾うことは大変であり、またけがなどで片手しか使えない人も歯磨き粉を付けるなどの操作で下に落としまうことがよくあったが、本発明により歯ブラシを握った指を離しても、磨く歯の場所により指を柄の横の部分を握るように持ち替えても四本の指のどれかの背の部分が指カバーに引掛かるため歯磨きの際に手から歯ブラシを落とさないようにすることができる。
本発明は、柄の指カバーの方を下にしてコップに立てて収納するだけでなく、指カバーと柄とでできた輪の部分を突起物などに掛けて収納することもできる。
【図面の簡単な説明】
【０００７】
【図１】本発明全体の斜視図
【発明を実施するための形態】
【０００８】  以下、本発明の実施の形態について説明する。
（イ）長さは人差し指から小指までを覆う長さで、幅は柄（２）の一番広いところと同じ      程度、厚さは歯ブラシの柄を握った人差し指に近くなるにつれ薄くすることにより      弾力性を持たせた板状の（３）指カバーを制作する。
（ロ）現在一般的に使用されているほぼ真っ直ぐな歯ブラシのブラシ（１）と反対側の柄      （２）の先の裏側に指の動きが窮屈にならないように（３）指カバーを設ける。
（ハ）柄（２）と指カバー（３）は、材質を同一にすることにより一体成型することも可      能である。
本発明は以上の様な構造である。
本発明を使用するときは、柄（２）と指カバー（３）のあいだに親指以外の指を差し入れ、その柄（２）の裏側に親指を添えて五本の指で全体をしっかり握ることにより歯磨きを行うことができる。また握った指を離しても、磨く歯の場所により指を柄の横の部分を握るように持ち替えても四本の指のどれかの背の部分が指カバーに引掛かることにより歯ブラシを手から落とさないようにできる。
【符号の説明】
【０００９】  １．ブラシ  ２．柄  ３．指カバー
【図１】
2014100451.tif 000003
(57)【要約】【課題】複数のハンガーを一緒に集めて収納しておくと、フック部分がハンガー同士で絡まってしまう。いちいち解かなくてはいけなかった。  襟首の狭い衣類にハンガーを通す時、襟首を広げて入れて、襟首の形状を広げてしまったり、胴体の底部から通すため、作業が不便であった。  本発明は複数のハンガーがフック同士で絡み合ったりせず、狭い襟首の衣服に襟首を広げずにスンナリ通し入れることができるフックが絡まないハンガーを提供する。【解決手段】引掛け部を二股にし、フック部の根元は、自由に回動可能に形設したことを特徴とするハンガー。【選択図】図２
2014100441.tif 000002
【特許請求の範囲】
【請求項１】
通常の衣服掛けハンガーの衣服掛け部の中央部に設けて有るフック部を、二股状に形成し、フック部の根元は自由に回動可能な形に形設したことを特徴とするフックが絡まないハンガー。
【発明の詳細な説明】
【技術分野】
【０００１】  本発明は、衣料を干したり、吊るしたりする際のハンガーに関するものである。
【背景技術】
【０００２】  従来、ハンガーを一箇所にまとめておくと、フック部分が絡まっていた。
また、襟首の狭い衣類を掛ける際、襟首を広げるか、底辺の方から入れていた。
なお、吊り部が可動するハンガーが知られている（特許文献１参照）。
【先行技術文献】
【特許文献】
【０００３】
【特許文献１】  特開２００５−１４３９３６号公報
【発明の概要】
【発明が解決しようとする課題】
【０００４】  ハンガーを一箇所にまとめて片付けておくと、引掛け部分がハンガー同士で絡まってしまうので、いちいち解かなくてはいけなかった。
襟首の狭い衣類にハンガーを通す時、襟首を広げて入れて、襟首の形状を広げてしまったり、胴体の底部から通すため、作業が不便であった。参考文献に示されたハンガーは、フック（吊り部）がハンガーの中央部から端まで移動させる面倒な手間がかかる。
また、移動先でもフックは立ったままであり、収納時に他のハンガーのフックと絡まることにもなる。更に構造的にも複雑になり、コスト高につながる。
本発明は以上の問題点を解決する為になされたものである。
【課題を解決するための手段】
【０００５】  通常の衣服掛けハンガーの衣服掛け部の中央部に設けて有るフック部を二股状に形成し、フック部の根元は自由に回動可能な形に形設する。
以上を特徴とするフックが絡まないハンガーである。
【発明の効果】
【０００６】  衣類を干す作業の中で、襟首の長い、あるいは狭い服にハンガーを通す際にも、襟首を無理に広げたりせず、スムーズにセットでき、また、収納時にまとめておいても、ハンガーのフック同士が絡み合う心配も無い。
【図面の簡単な説明】
【０００７】
【図１】本発明の斜視図
【図２】本発明の実施例を示す斜視図
【発明を実施するための形態】
【０００８】以下、本発明の実施の形態を説明する。
（イ）通常の衣服掛けハンガーの衣服掛け部（１）の中央部に設けて有るフック部（２）を二股状に形成する。
（ロ）フック部（２）の根元は自由に回動可能な形に形設する。
本発明は以上のような構造である。
これを使用するときは、フック部（２）を起こし、普通に衣類掛け部（１）に衣類を掛ければよい。不使用時には、フック部（２）を倒し、二股部分を衣服掛け部（１）に跨るように押し込めば、フック部（２）は出っ張りが無くなり、ハンガーのフック同士が絡み合って困ることも無い。襟首の長い、あるいは狭い衣類を干す際には、フック部（２）を倒したまま簡単に襟首より挿入できるため、作業も非常に楽である。衣類を衣類掛け部（１）に掛けた後、フック部（２）を起こし、物干し竿に掛けるだけで良い。
フック部（２）は、二股状になっているため、衣類掛け部（１）の表裏どちらからも起こしやすい。
【符号の説明】
【０００９】１衣類掛け部、２フック部
【図１】
2014100441.tif 000003
【図２】
2014100441.tif 000004
(57)【要約】【課題】  本発明は、初心者でもフラワーアレンジメントを容易に美しく生けることのできるように工夫したフラワーアレンジメント用具を提供する。【解決手段】  フラワーアレンジメント用具本体（１）の中央に中央主花マークの穴（２）を設け、中央主花マークの穴（２）の周囲に小花マークの穴（３）を複数個設け、フラワーアレンジメント用具本体（１）の外周部に主花マークの穴（４）と枝葉マークの穴（５）を複数個設け、フラワーアレンジメント用具本体（１）の、裏に着脱自在なクシ状の留め具（６）を設け、フラワーアレンジメント用具本体（１）とオアシス（７）、剣山、グラスなどの容器を組み合わせたことを特徴とするフラワーアレンジメント用具。【選択図】図１
2014100448.tif 000002
【特許請求の範囲】
【請求項１】
フラワーアレンジメント用具本体（１）の中央に中央主花マークの穴（２）を設け、中央主花マークの穴（２）の周囲に小花マークの穴（３）を複数個設け、フラワーアレンジメント用具本体（１）の外周部に主花マークの穴（４）と枝葉マークの穴（５）を複数個設け、フラワーアレンジメント用具本体（１）の、裏に着脱自在なクシ状の留め具（６）を設け、フラワーアレンジメント用具本体（１）をオアシス（７）、剣山、グラスなどの容器と組み合わせたことを特徴とするフラワーアレンジメント用具。
【発明の詳細な説明】
【技術分野】
【０００１】  本発明は、初心者でもフラワーアレンジメントを容易に美しく生けることのできるように工夫したフラワーアレンジメント用具に関するものである。
【背景技術】
【０００２】  従来、初心者がフラワーアレンジメントの作品を美しく作るには、フラワースクールに通うか、本で花の生け方を勉強する方法が一般的である。
フラワーアレンジメントは、オアシスに水を含ませ花や枝葉の茎の下先端部を差しいれて作品を製作していたが初心者にはむずかしく、簡単には製作できなかった。
【先行技術文献】
【特許文献】
【０００３】
【特許文献１】  特開２００１−７５４６７号公報
【発明の概要】
【発明が解決しようとする課題】
【０００４】  初心者がフラワーアレンジメントの作品を製作するのはむずかしく、フラワースクールや本で勉強しなければ簡単には製作できなかった。
フラワーアレンジメントは、水を含ませたオアシスを使用するが、オアシスは大変もろく花留めに失敗すると大きな穴が空いたり崩れたり花の水揚げの妨げになったりした。
フラワーアレンジメントに興味を持っていても、フラワースクールが近くにない、スクールに通う時間がないといった制約や初心者には簡単に製作できないこと、販売しているフラワーアレンジメントはかなり高額なので普段はあまりフラワーアレンジメントを楽しめなかった。
本発明は、以上の問題点を解決するためになされたものである。
【課題を解決するための手段】
【０００５】  フラワーアレンジメント用具本体（１）の中央に中央主花マークの穴（２）を設け、中央主花マークの穴（２）の周囲に小花マークの穴（３）を複数個設け、フラワーアレンジメント用具本体（１）の外周部に主花マークの穴（４）と枝葉マークの穴（５）を複数個設け、フラワーアレンジメント用具本体（１）の、裏に着脱自在なクシ状の留め具（６）を設け、フラワーアレンジメント用具本体（１）とオアシス（７）、剣山、グラスなどの容器を組み合わせる。
以上のように構成されたフラワーアレンジメント用具。
【発明の効果】
【０００６】  本発明のフラワーアレンジメント用具本体は、着脱自在なクシ状の留め具をオアシス、剣山、グラスなどの容器と組み合わせて使用する。
中央主花、主花、小花、枝葉のマークの穴を設けているので、留花の位置が簡単に確認できフラワースクールに通わずして、フラワーアレンジメントの心得がない初心者でもアレンジメントの作品を簡単に製作できる。
花や枝葉を突きさすだけで済み、間違っても引抜けば済むので、オアシスに穴があいてもフラワーアレンジメント用具本体が花留めの補強をしてくれるので失敗を恐れずに製作ができ、楽しくなる。
全部の穴を全て埋めなくてもバランスが取れる。
花を購入しなくても庭に咲いている花や、野菜の花など、または造花とまぜたり、造花だけで製作したり、日常的にフラワーアレンジメントを楽しむことができる。
フラワーアレンジメントの完成品を買うのに比べ安く、さらに創る喜びを味わえる。
プレゼントとしても格好のものになる。
オアシス、剣山、グラスなどの容器に使用できるので極めて有益となる。
【図面の簡単な説明】
【０００７】
【図１】  本発明の全体の平面図である。
【図２】  本発明の裏側クシ状の留め具の斜視図である。
【図３】  本発明をオアシスに組み合わせた斜視図である。
【図４】  本発明をオアシスに組み合わせ、中央花マークにメインとなる花を９０度にさした斜視図である。
【発明を実施するための形態】
【０００８】  本発明の実施の形態を説明する。
フラワーアレンジメント用具本体（１）の中央に中央主花マークの穴（２）を設ける。
中央主花マークの穴（２）の周囲に小花マークの穴（３）を複数個設ける。
フラワーアレンジメント用具本体（１）の外周部に主花マークの穴（３）と枝葉マークの穴（５）を複数個設ける。
フラワーアレンジメント用具本体（１）の、裏に着脱自在なクシ状の留め具（６）を設ける。
フラワーアレンジメント用具本体（１）をオアシス（７）、剣山、グラスなどの容器と組み合わせる。
以上のように構成されたフラワーアレンジメント用具。
以下、本発明に係るフラワーアレンジメント用具について詳述する。
図１〜図３は、本発明のフラワーアレンジメント用具（１）の一形態を表し、便宜的に中央主花マーク（２）、小花マーク（３）、主花マーク（４）、枝葉マーク（５）の穴を表示しているので判り易く、初心者でも容易にフラワーアレンジメントの製作が可能となる。
フラワーアレンジメント用具（１）は、着脱自在なクシ状の留め具（６）を、水を含ませたオアシス（７）、剣山、グラスなどの容器と組み合わせる。
外周枝葉マーク（５）の穴にオアシス（７）をかくすよう、なるべく水平に、葉物をさす。
中央にさす主花の高さを決めたら中央主花マークの穴（２）に９０度にさす。
残りの枝葉マーク（５）の穴に中央主花を囲むように葉物をさす。
小花マークの穴（３）、主花マークの穴（４）に中央主花より少し低く、周りを囲むようふんわりとドーム型になるように、上から順番に花をさす。
主花と小花を入れ替えても良い。
花と花の間の根もとをかくすように葉物をさし、形をととのえる。
剣山、グラスなどの容器を使用の場合、茎の細い花や葉は何本かを、たばにしてさす。
または、ほかの茎をカバーにしてさす。
もとの茎とカバーの茎は下部を切りそろえてさすこと。
初心者でも簡単にフラワーアレンジメント作品を作ることができる。
花、枝葉のマークの穴を適宜間隔に設けたフラワーアレンジメント用具。
【符号の説明】
【０００９】  １  フラワーアレンジメント用具本体
２  中央主花マークの穴
３  小花マークの穴
４  主花マークの穴
５  枝葉マークの穴
６  クシ状留め具
７  オアシス
【図１】
2014100448.tif 000003
【図２】
2014100448.tif 000004
【図３】
2014100448.tif 000005
【図４】
2014100448.tif 000006
(57)【要約】【課題】本発明は、片手で蓋を開けて、片手で箸を取出すことが可能な緩衝装置付箸箱に関するものである。【解決手段】蓋（１）と箸箱本体（２）の間に、緩衝装置（３）をビス（４）で取付け、蓋が閉まるまでの時間を調整できるようにした。緩衝装置（３）は、箸箱本体（２）の両側に２式取り付ける形態と、片側のみ取付ける形態のいずれかを選択できる。本発明は以上の構成からなる緩衝装置付箸箱である。【選択図】図１
2014100442.tif 000002
【特許請求の範囲】
【請求項１】
蓋（１）と箸箱本体（２）の間に、緩衝装置（３）をビス（４）で取り付け、蓋が閉まるまでの時間の調整を可能とする特徴を保持する緩衝装置付箸箱。
【請求項２】
緩衝装置（３）は、箸箱本体（２）の両側に２式取り付ける形態と、片側のみ取付ける形態のいずれかを選択できる特徴を保持する緩衝装置付箸箱。
【発明の詳細な説明】
【技術分野】
【０００１】本発明は、片手で蓋を開けて、片手で箸を取出すことが可能な緩衝装置付箸箱に関するものである。
【背景技術】
【０００２】牛丼店等の外食店に配置されている箸箱は、蓋付の箸箱が常備されている店が数多く存在する。
リサイクル箸の使用等の理由から、衛生管理を徹底しているものと推測する。【０００３】箸箱はカウンター席２、３席につき１つ配置されていることが多い。【０００４】箸箱が目の前にある場合は、両手を使い、一方の手で蓋を開け、他方の手で箸を取出すことで問題はない。
しかし、目の前に箸箱がない場合は、隣の席の前に配置されている箸箱から箸や爪楊枝を取り出すことになる。【０００５】隣の席にお客が座っている場合、座席の配置上、両手が使えず、どうしても片手で蓋を開けて箸を取出すことになるが、蓋に手を挟まれてうまく箸を取り出せないことが多い。
下手をすれば、箸が他の箸に引っかかり、散らばってしまったり、蓋に挟まれて手を痛めてしまったりすることもある。爪楊枝を取出す場合も同様である。【０００６】確実に片手だけで箸を取出すには、一度、蓋を反対側まで全開にしてから箸を取り出し、自分の手元に箸を置いた後、蓋を閉めるという煩わしい手段しかないのが現状である。【０００７】蓋を全開にする際に、力が入りすぎると大きな音がして、周りに迷惑がかかることも考えられる。
【先行技術文献】
【特許文献】
【特許文献１】実用新案出願２００９−６９２６
【発明の概要】
【発明が解決しようとする課題】
【０００８】これは次のような欠点があった。
従来の箸箱は、簡単に、迅速に、片手で蓋を開けて、片手で箸を取出すことができない点である。
【課題を解決するための手段】
【０００９】蓋（１）と箸箱本体（２）の間に、緩衝装置（３）をビス（４）で取付け、蓋が閉まるまでの時間を調整できるようにした。
緩衝装置は、箸箱本体の両側に２式取り付ける形態と、片側のみ取付ける形態のいずれかを選択できる。
本発明は、以上の構成からなる緩衝装置付箸箱である。
【発明の効果】
【００１０】箸や爪楊枝を取出す行為にストレスを感じることがなくなる。【００１１】隣の客に気を遣うこともなく、スムーズに箸や爪楊枝を取出すことができる。【００１２】手の甲に擦り傷をつけるようなこともなくなる。【００１３】蓋が閉じるまでの時間は１秒あれば適切であることが試作品の実証で判明した。
緩衝装置の取付位置を微調整することで閉じるまでの時間が調整できる。
従来の蓋付きの箸箱が使われている店で全て置き換えが可能で、使用方法も特に利用者が意識する必要はない。【００１４】蓋を全開に跳ね上げる力が強すぎる場合も、緩衝装置が働き、大きな音もせず、蓋のヒンジ部分にかかる負担も軽減され、故障しにくくなる。
【図面の簡単な説明】
【００１５】
【図１】緩衝装置（３）にビス（４）を２本使い、蓋（１）と箸箱本体（２）へ取付ける形態を説明した斜視図である。該当図は、箸箱本体（２）の両側へ緩衝装置（３）を２式取付けた場合の図である。
【図２】緩衝装置の動作方向を矢印で表した図である。緩衝装置（３）は金属棒が、筒内で抵抗を受けることで、ゆっくり伸縮する。緩衝装置（３）の両端はビス（４）と接着せず、ビスは自由に回転運動する。
【発明を実施するための形態】
【００１６】以下、本発明を実施するための形態について説明する。
蓋（１）と本体（２）の間に、緩衝装置（３）をビス（４）で取付ける。
緩衝装置（３）の両端は蓋（１）と箸箱本体（２）に固定されることなく、自由に回転できる。
【００１７】蓋を上に持ち上げる大きな力は不要で、手から蓋を離した瞬間から、蓋の落下に抵抗がかかり、ゆっくりと閉まる。
蓋（１）を全開状態にすると緩衝装置（３）が完全に伸び切った状態で軽くロックされ、蓋が落下しない状態になり、ゆっくり時間を掛けて箸を入れ替えることもできる。指で軽く蓋を押下すると、ゆっくり落下する。
【００１８】蓋が落下している間に箸を安全に取り出すことができる。
片手だけで蓋を開ける、箸を取り出すといった２回の操作のみで箸が取出せる。
緩衝装置（３）は、箸箱本体（２）の両側に２個取り付けて、蓋（１）の開閉の頻度が増しても耐えられるように使用する形態と、本体価格を抑える目的で、片側のみ緩衝装置（３）を取付ける形態のいずれかを選択できる。
【００１９】類似の改善例としては、ベビーカートがある。
片手で赤ちゃんを抱きながら、同じ片手で折りたたまれているベビーカーをスイッチ一つで広げることができることが挙げられる。
本発明は以上のような構造である。
【産業上の利用可能性】
【００２０】試作品製作時に使用した緩衝装置はラジコンカーの車輪のダンパーパーツから流用した。
１個５０円程度で入手できたため、本発明の緩衝装置を量産して商品に取付けても価格上昇は微々たるものと推定する。
あらゆる外食産業で衛生上の点から蓋付きの箸箱が使用されており、全てのケースにおいて置換えが可能である。
使用中の箸箱を加工して緩衝装置のみを取付けることも可能である。産業上の利用価値は大きいと推定する。
【符号の説明】
【００２１】１  蓋
２  箸箱本体
３  緩衝装置
４  ビス
【図１】
2014100442.tif 000003
【図２】
2014100442.tif 000004
(57)【要約】【課題】トイレブース等の上端に掛けて利用する、ネジや粘着テープ、接着剤等の材料および工具を使用することなく、取り付け、取り外し、移設が簡単なトイレットペーパーストック器具を提供する。【解決手段】トイレットペーパー受け（１）を、トイレットペーパー受け支持材（２）で支持し、トイレットペーパー受け支持材（２）に、トイレブースに掛けるための曲部（３）を設けた、トイレットペーパーストック器具を特徴とする。【選択図】図１
2014100444.tif 000002
【特許請求の範囲】
【請求項１】
トイレットペーパー受け（１）を、トイレットペーパー受け支持材（２）で支持し、トイレットペーパー受け支持材（２）に、トイレブース等に掛けるための曲部（３）を設け、そのトイレブース等に掛けるための曲部（３）を、トイレブース等に掛けることで、ネジや粘着テープ、接着剤等の材料や工具を使用しなくても、トイレブース等に取り付け取り外しができる、トイレブース等を利用するトイレットペーパーストック器具。
【発明の詳細な説明】
【技術分野】
【０００１】  この発明は、トイレットペーパーストック器具を、ネジ、粘着テープおよび接着剤等並びに工具を使うことなく、トイレブース等に設置することが可能な、トイレブース等を利用するトイレットペーパーストック器具に関するものである。
【背景技術】
【０００２】  従来、トイレブース内にトイレットペーパーの予備を保管する場合、トイレブース内の床や棚、またはロータンクの上に置いたり、壁にフック等を取り付け、そこからぶら下げたり、また、壁やトイレブースにトイレットペーパーストック器具を、ネジや粘着テープ等で固定し、そこに保管していた。
【先行技術文献】
【０００３】
【特許文献１】特開２００６−１８７５６４号公報
【特許文献２】特開２００３−６１８６２号公報
【特許文献３】特開２００２−２６３０３４号公報
【特許文献４】特開２００２−２３３４７３号公報
【特許文献５】特開平１１−０３２９４０号公報
【特許文献６】特開平０８−１３１３６７号公報
【特許文献７】特開２００８−１４２３７３号公報
【特許文献８】特開２００６−２１８２４８号公報
【特許文献９】特開２００２−２６３０３３号公報
【発明の概要】
【発明が解決しようとする課題】
【０００４】  以上のように、従来のトイレットペーパーストック器具には、次のような欠点があった。
１．トイレットペーパーを直に床に置くと不衛生であり、かつ、床が濡れていると、ストック器具に入れていても、水はねなどでトイレットペーパーが濡れてしまう場合がある。
２．トイレブース内に、棚やロータンクが無い場合には、それらに置くことができない。
３．トイレットペーパーストック器具で、トイレブース等に取り付けるタイプについては、ネジを使用する場合、壁に傷を付けたり、取り付けの際工具を必要とした。また、粘着テープや接着剤等を使用する場合においても、壁に汚れを付けたり、設置後簡単に取り外しや移設をすることができない。
４．Ｓ字状等の金具にて、トイレブース等に引っ掛けるタイプは、引っ掛ける場所を選び、かつ安定性が悪い。
本発明は、以上のような欠点をなくすためになされたものである。
【課題を解決するための手段】
【０００５】  トイレットペーパー受け（１）を、トイレットペーパー受け支持材（２）で支持し、トイレットペーパー受け支持材（２）に、トイレブース等に掛けるための曲部（３）を設ける。
本発明は、以上の構成よりなる、トイレブース等を利用するトイレットペーパーストック器具である。
【発明の効果】
【０００６】  トイレブース内にトイレットペーパーの予備を保管する場合、床が汚れや濡れている場合でも、床から離れた高い位置にあるため、保管するトイレットペーパーが汚れたり濡れる心配もなく、かつ、トイレブース内に棚やロータンクが無い場合でも、上部が開放されたトイレブースがあれば保管ができる。また、トイレットペーパーストック器具の設置には工具を必要とせず、設置後の取り外しや移設も簡単であり、しかも、ネジ、粘着テープおよび接着剤等を使用しないため、設置や取り外しの際、設置部に傷や汚れを付けることもない。さらに、トイレブースに掛けるための曲部は、二箇所以上、あるいは掛かり部に、ある程度の長さをもたせた形状とすることから安定性がある。
【図面の簡単な説明】
【０００７】
【図１】  本発明の斜視図
【図２】  本発明の断面図
【発明を実施するための形態】
【０００８】  以下、本発明を実施するための形態について説明する。
トイレットペーパー受け（１）を、トイレットペーパー受け支持材（２）で支持し、トイレットペーパー受け支持材（２）に、トイレブースに掛けるための曲部（３）が設けられている。
本発明は、以上のような構造である。
これを使用するときは、トイレブースに掛けるための曲部（３）をトイレブース等の上端に引っ掛け、トイレットペーパー受け（１）に保管するトイレットペーパーを入れればよい。
なお、トイレブースの厚さの違いへの対応としては、トイレブースの厚さごとにトイレブースに掛けるための曲部（３）の形状のものを規格化したり、または、トイレブースに掛けるための曲部（３）において、材料の弾性あるいは塑性で柔軟に対応できる構造とする。
【符号の説明】
【０００９】１    トイレットペーパー受け
２    トイレットペーパー受け支持材
３    トイレブースに掛けるための曲部
４    ストック用トイレットペーパー
５    トイレブース等
【図１】
2014100444.tif 000003
【図２】
2014100444.tif 000004
(57)【要約】【課題】ＰＴＰシートを１錠から数錠分ずつ切り離した場合、従来のシートでは鋭利な角が出来てしまい危険である。  本発明はどこで切り離しても鋭利な角が出来ないＰＴＰシートの形状を作ることを目的とする。【解決手段】ＰＴＰシートの各薬剤封入部の間に星形状の空隙部を設け、１錠分ずつの外周部がＲ状になる構造とする。こうする事によりどこで切り離しても角が出来ない安全な形状となる。【選択図】図１
2014100450.tif 000002
【特許請求の範囲】
【請求項１】
各薬剤封入部の間に星形状の空隙部を設け、１錠分ずつの外周部がＲ状になる構造とすることにより、どこで切り離しても角が無く安全なＰＴＰシート。
【発明の詳細な説明】
【技術分野】
【０００１】  本発明は１錠から数錠分ずつどこで切り離しても角が無く安全な薬剤包装体・ＰＴＰシートに関するものである。
【背景技術】
【０００２】  薬剤包装体としてプラスチックフィルムをドーム状に成型し、ここに薬剤を入れ、ラミネートでヒートシールしたＰＴＰ（Ｐｒｅｓｓ  Ｔｈｒｏｕｇｈ  Ｐａｃｋａｇｅ）シートが広く普及している。本来ＰＴＰシートは切り離さないで使用することが大前提ではあるが、何らかの理由で１錠から数錠分ずつ切り離した場合でも安全な形状の開発が望まれる。
【先行技術文献】
【特許文献】
【０００３】
【特許文献１】特開２００９−８２２８７号公報
【特許文献２】特開２００５−３４２１６２号公報
【発明の概要】
【発明が解決しようとする課題】
【０００４】  ＰＴＰシートは薬剤間で切り離した場合鋭利な角が出来てしまう。これは患者、介護者、医療従事者（医師、薬剤師、看護師等）にとって安全な形状とは言い難い。
また患者が誤ってＰＴＰシートごと薬剤を飲み込んでしまう事故も報告される。この際にシートの鋭利な角が咽頭、食道、胃粘膜を傷つけてしまう危険がある。医師が内視鏡を用いて誤飲したシートを取り出す場合も同様の危険が伴う。
本発明は以上の問題点を解決するものである。
【課題を解決するための手段】
【０００５】  ＰＴＰシートの各薬剤封入部の間に星形状の空隙部を設け、１錠分ずつの外周部がＲ状になる構造とする。こうする事によりどこで切り離しても角が出来ない安全な形状となる。
【発明の効果】
【０００６】  ＰＴＰシートを１錠から数錠分ずつどこで切り離しても角が出来ず、患者、介護者、医療従事者にとって安全で優しい形状となる。誤ってシートごと薬剤を飲み込んでしまっても鋭利な角がないため咽頭、食道、胃粘膜を傷つけにくい。医師が内視鏡を用いて取り出す場合も同様に粘膜を傷つけにくい。全体の強度を落とさずに原材料を減らせれば経済的効果も期待できる。
【図面の簡単な説明】
【０００７】
【図１】本発明の斜視図
【図２】本発明を１錠分切り離した時の斜視図
【図３】本発明を２錠分切り離した時の斜視図
【図４】本発明を４錠分切り離した時の斜視図
【発明を実施するための形態】
【０００８】  本発明の形態を説明する。
ＰＴＰシート（１）の各薬剤封入部（２）の間に星形状の空隙（３）部を設ける。最外側には星形の二分の一形状の切れ込み（４）を入れる。１錠分ずつの外周部がＲ状となり鋭利な角がない外周（５）になる構造とする。こうする事によりＰＴＰシートはどこで切り離しても角が出来ない。
本発明は以上のような構造である。
本発明を使用するときは、ＰＴＰシートを薬剤の使用方により１錠から数錠分ずつ星形状の空隙（３）部または星形二分の一形状の切れ込み（４）の所で切り離す。１錠分ずつ飲めるように分ける場合もあるであろう。数錠分持ち歩く場合もあるかもしれない。飲み終わったシートを切り離して整理したい人もいる。勿論切り離さずに使用しても問題ない。人に優しい形になると同時に、空隙部分の原材料が削減でき経済的効果も期待できる。
【符号の説明】
【０００９】  １  ＰＴＰシート、２  薬剤封入部、３  星形状の空隙、４  星形二分の一形状の切れ込み、５  Ｒ状となり鋭利な角がない外周
【図１】
2014100450.tif 000003
【図２】
2014100450.tif 000004
【図３】
2014100450.tif 000005
【図４】
2014100450.tif 000006
(57)【要約】【課題】  本発明は、空気中に浮遊する異物を、機械を停止させることなく、集塵除去可能な電気集塵装置を得ることにある。 【解決手段】  空気中に浮遊している異物１を帯電させるために、コロナ放電を発生する荷電プレート２と、ローラープーリー３により回転しながら帯電した異物１を捕集する集塵ベルト４と、当該集塵ベルト４に付着した比較的大きな異物１を除去するスクレーパーガイド５と、微粒子異物１を掻き取るスクレーパー６と、洗浄液噴射部７と、これらのスクレーパーガイド５とスクレーパー６と洗浄液噴射部７を固定する側面カバー８とで電気集塵装置を構成している。  【選択図】      図１
2014100642.tif 000002
【特許請求の範囲】
【請求項１】
空気中に浮遊している異物１を帯電させるために、コロナ放電を発生する荷電プレート２と、ローラープーリー３により回転しながら帯電した異物１を捕集する集塵ベルト４と、当該集塵ベルト４に付着した比較的大きな異物１を除去するスクレーパーガイド５と、微粒子異物１を掻き取るスクレーパー６と、洗浄液噴射部７と、これらのスクレーパーガイド５とスクレーパー６と洗浄液噴射部７を固定する側面カバー８とから構成された電気集塵装置
【発明の詳細な説明】
【技術分野】
【０００１】
本発明は、集塵しながら洗浄可能な電気集塵装置の開発に関する。
【背景技術】
【０００２】
従来の電気集塵装置は、異物を帯電させるためにコロナ放電を発生する放電極と、帯電した異物を捕集する集塵極から構成されている。
【０００３】
このような電気集塵装置は、吸着プレートに捕集された異物が、吸着面に蓄積（堆積）することでクーロン力が低下し、異物の捕集効率が低下する為、吸着プレートを洗浄する作業が必要であった。
【０００４】
さらに、洗浄時には機械を停止させるため予備の機械が必要となり、また、洗浄後は完全に乾燥させ再度絶縁状態にする必要があるため、この乾燥のための作業に多くの時間を要するという問題等が発生する。
【先行技術文献】
【特許文献】
【０００５】
【特許文献１】特開２００８−１４２６７０号公報
【非特許文献】
【０００６】
【非特許文献１】「ミドリ安全エア・クオリティ株式会社    電気集じん機  総合カタログ」，ミドリ安全エア・クオリティ株式会社，２０１１年，P.１７
【発明の概要】
【発明が解決しようとする課題】
【０００７】
本発明は、以上のような従来の欠点に鑑み、機械を止めることなく、集塵、洗浄を可能とする電気集塵装置を提供する事を目的としている。 
【課題を解決するための手段】
【０００８】
上記目標を達成する為に、本発明は、空気中に浮遊している異物１を帯電させるために、コロナ放電を発生する荷電プレート２と、ローラープーリー３により回転しながら帯電した異物１を捕集する集塵ベルト４と、当該集塵ベルト４に付着した比較的大きな異物１を除去するスクレーパーガイド５と、微粒子異物１を掻き取るスクレーパー６と、洗浄液噴射部７と、これらのスクレーパーガイド５とスクレーパー６と洗浄液噴射部７を固定する側面カバー８とで電気集塵装置を構成している。
【発明の効果】
【０００９】
以上の説明から明らかなように、本発明にあっては、集塵ベルト４に付着した異物１をスクレーパーガイド５とスクレーパー６と洗浄液噴射部７とで、常時洗浄することにより、ミスト・ダスト・油煙・煙等が固まる事がなく、メンテナンスが大幅に軽減され、空気中に浮遊する異物１の捕集効率が低下しない。
もちろん従来の電気集塵装置のように、洗浄のために機械を停止したり、洗浄後の乾燥のために多くの時間が必要になるということもない。
また、本電気集塵装置の放電、捕集部を増やしていく事で、大容量のものが可能となり、多種多様な企業にも対応できる。
【図面の簡単な説明】
【００１０】
【図１】本発明の実施の形態に係る電気集塵装置の概略構成を示す平面図
【発明を実施するための形態】
【００１１】
以下、本発明の実施の形態を図に基づいて説明する。
【実施例１】
【００１２】
図１は、本発明装置の実施例１の概略構成を示す平面図である。  
【００１３】
ファン（図示せず）によって吸い込まれた空気中に浮遊する異物１を、荷電プレート２により高電圧をかけて荷電させる。
【００１４】
異物1が電荷され、異物１と反対の電荷をもつ集塵ベルト４に吸着される。
【００１５】
集塵ベルト４はローラープーリー３の回転によって廻る。
【００１６】
スクレーパーガイド５で予め金属等の大きな異物１を除去し、微粒子異物１を掻き出すスクレーパー６の破損を防ぐ。
【００１７】
洗浄液噴射部７からは、洗浄液を噴射させて集塵ベルト４を洗浄する。
【００１８】
スクレーパーガイド５、スクレーパー６、洗浄液噴射部７を固定した側面カバー８により、洗浄時の水滴を遮断する。これにより、集塵ベルト４と荷電プレート２間のスパークを防ぐ事ができ、集塵効果が持続される。
【産業上の利用可能性】
【００１９】
本発明は、電気集塵装置を製造する産業で利用される。
【符号の説明】
【００２０】
１  異物
２  荷電プレート
３  ローラープーリー
４  集塵ベルト
５  スクレーパーガイド
６  スクレーパー
７  洗浄液噴射部
８  側面カバー
【図１】
2014100642.tif 000003